(57)【特許請求の範囲】
【請求項１】
複数の画像を保存可能なストレージユニットと、
使用者により指定された画像に対して、使用者入力に係るテキストを追加し、当該テキストの所定の語句がハイパーリンクのキーワードとして設定されると、使用者の選択に従って、前記ストレージユニットに保存されている画像のうち、前記指定画像以外の少なくともいずれか一つを、前記所定の語句にリンクさせるコントロールユニットと、
を含んで構成されることを特徴とする携帯端末機の画像管理装置。
【請求項２】
前記コントロールユニットは、
前記テキストの所定の語句にハイパーリンクが設定された後、前記テキストの編集を行う際に、当該テキストの所定の語句に文字入力カーソルが位置すると、リンク編集メニューリストを表示する、
ことを特徴とする請求項１に記載の携帯端末機の画像管理装置。
【請求項３】
前記コントロールユニットは、
前記テキストの削除が指定された場合、当該テキストに割り当てられたハイパーリンクを全て解除すると共に当該テキストを削除する、
ことを特徴とする請求項１又は請求項２に記載の携帯端末機の画像管理装置。
【請求項４】
前記コントロールユニットは、
前記テキストを追加した画像の表示が要求されると、当該画像と共に前記テキストを表示し、該テキスト中の前記所定の語句が選択されると、当該所定の語句にリンクさせた画像を表示する、
ことを特徴とする請求項１〜３のいずれかに記載の携帯端末機の画像管理装置。
【請求項５】
前記ストレージユニットに保存された複数の画像に、外部から受信した画像が含まれることを特徴とする請求項１〜４のいずれかに記載の携帯端末機の画像管理装置。
【請求項６】
前記コントロールユニットは、
使用者の指示に従って前記テキストを作成、修正、又は削除する編集手段と、
使用者の指示に従って前記テキスト中の所定の語句をキーワードとして設定し、当該キーワードに前記画像へのリンクを設定するリンク設定手段と、
を含んで構成されることを特徴とする請求項１〜５のいずれかに記載の携帯端末機の画像管理装置。
【請求項７】
使用者によりストレージユニットから選択された画像を表示して、使用者の入力に従い当該選択画像に対するテキストの作成を実行する過程と、
該テキストの所定の語句がハイパーリンクのキーワードとして設定されると、使用者の選択に従って、前記ストレージユニットに保存されている画像のうち、前記選択画像以外の少なくとも１つを、前記所定の語句にリンクさせる過程と、
を含むことを特徴とする携帯端末機の画像管理方法。
【請求項８】
前記所定の語句に画像をリンクさせたテキストを編集する過程を含み、
該テキストを編集する過程は、
前記所定の語句に文字入力カーソルが位置すると、リンク編集メニューリストを表示する過程を含む、
ことを特徴とする請求項７に記載の携帯端末機の画像管理方法。
【請求項９】
前記所定の語句に画像をリンクさせたテキストを編集する過程を含み、
該テキストを編集する過程は、
前記テキストの削除が指定された場合、当該テキストに割り当てられたハイパーリンクを全て解除すると共に当該テキストを削除する過程を含む、
ことを特徴とする請求項７又は請求項８に記載の携帯端末機の画像管理方法。
【請求項１０】
前記ストレージユニットに保存された複数の画像に、外部から受信した画像が含まれることを特徴とする請求項７〜９のいずれかに記載の携帯端末機の画像管理方法。
【請求項１１】
前記テキスト作成後の選択画像の表示要求があった場合に、当該画像と共に前記テキストを表示する過程と、
該表示したテキストの前記所定の語句が選択されると、当該所定の語句にリンクさせた画像を表示する過程と、
をさらに含むことを特徴とする請求項７〜１０のいずれかに記載の携帯端末機の画像管理方法。
【発明の詳細な説明】
【技術分野】
【０００１】
本発明は移動通信網の携帯端末機に関し、特に、携帯端末機の画像管理装置及び方法に関する。
【背景技術】
【０００２】
一般に、初期の移動通信システムは、移動の利便性及び携帯の簡便性を保障すると共に音声通話サービスをサポートするように開発されていたが、通信技術が発展するにつれて、音声通話だけでなく、ＳＭＳ（Short Message Service）や着信音サービスのための音楽データファイルの伝送、及びインターネットを利用したマルチメディアデータの伝送も可能になってきている。さらに、携帯端末機にカメラモジュールが内蔵されることによって、画像を管理及び処理する機能がより強調されてきている。
【発明の開示】
【発明が解決しようとする課題】
【０００３】
従来の携帯端末機において、画像は、ファイルの形式として日付／ファイル名などの特定検索条件と共にメモリに保存され、保存された画像は順次、かつ一次元的に管理されるだけであったため、保存されたファイルが多いか又は古い場合、使用者は、それぞれの画像がなぜ、どのように、どこで作成されたか具体的に分からず、管理に限界がある。
【０００４】
また、保存された画像をサムネイルビュー／プレビューなどのユーザインタフェースで順次鑑賞する機能しか提供されていないため、実際の使用者の使用パターンを十分に反映することができていない。
【０００５】
本発明は、このような背景に基づくもので、画像にスクリプトを追加し、該スクリプトのキーワードで画像を関連付ける携帯端末機の画像管理装置及び方法を提供することを目的とする。
【課題を解決するための手段】
【０００６】
本発明に係る携帯端末機の画像管理装置は、複数の画像を保存可能なストレージユニットと、使用者により指定された画像に対して、使用者入力に係るテキストを追加し、当該テキストの所定の語句がハイパーリンクのキーワードとして設定されると、使用者の選択に従って、前記ストレージユニットに保存されている画像のうち、前記指定画像以外の少なくともいずれか一つを、前記所定の語句にリンクさせるコントロールユニットと、を含んで構成されることを特徴とする。
【０００７】
前記コントロールユニットは、前記テキストの所定の語句にハイパーリンクが設定された後、前記テキストの編集を行う際に、当該テキストの所定の語句に文字入力カーソルが位置すると、リンク編集メニューリストを表示することを特徴とする。また、前記コントロールユニットは、前記テキストの削除が指定された場合、当該テキストに割り当てられたハイパーリンクを全て解除すると共に当該テキストを削除することを特徴とする。さらに、前記コントロールユニットは、前記テキストを追加した画像の表示が要求されると、当該画像と共に前記テキストを表示し、該テキスト中の前記所定の語句が選択されると、当該所定の語句にリンクさせた画像を表示することを特徴とする。
【０００８】
前記ストレージユニットに保存された複数の画像には、外部から受信した画像が含まれ得る。
【０００９】
前記コントロールユニットは、使用者の指示に従って前記テキストを作成、修正、又は削除する編集手段と、使用者の指示に従って前記テキスト中の所定の語句をキーワードとして設定し、当該キーワードに前記画像へのリンクを設定するリンク設定手段と、を含んで構成されるものとすることができる。
【００１０】
本発明に係る携帯端末機の画像管理方法は、使用者によりストレージユニットから選択された画像を表示して、使用者の入力に従い当該選択画像に対するテキストの作成を実行する過程と、該テキストの所定の語句がハイパーリンクのキーワードとして設定されると、使用者の選択に従って、前記ストレージユニットに保存されている画像のうち、前記選択画像以外の少なくとも１つを、前記所定の語句にリンクさせる過程と、を含むことを特徴とする。
【００１１】
前記ストレージユニットに保存された複数の画像には、外部から受信した画像が含まれ得る。
【００１２】
本発明の画像管理方法においては、前記所定の語句に画像をリンクさせたテキストを編集する過程を含み、該テキストを編集する過程は、前記所定の語句に文字入力カーソルが位置すると、リンク編集メニューリストを表示する過程を含むことを特徴とする。また、前記所定の語句に画像をリンクさせたテキストを編集する過程を含み、該テキストを編集する過程は、前記テキストの削除が指定された場合、当該テキストに割り当てられたハイパーリンクを全て解除すると共に当該テキストを削除する過程を含むことを特徴とする。
【００１３】
このような本発明の画像管理方法においては、前記テキスト作成後の選択画像の表示要求があった場合に、当該画像と共に前記テキストを表示する過程と、該表示したテキストの前記所定の語句が選択されると、当該所定の語句にリンクさせた画像を表示する過程と、をさらに含むことができる。
【発明の効果】
【００１４】
本発明による携帯端末機の画像管理装置及び方法は、携帯端末機において単純に並んだデータとして画像を保存するのではなく、携帯端末機内外の画像間に相互関係（シナリオ的構成）を設定して、使用者が画像をより多様に活用できるようにする。また、使用者の主観による関連付けを画像に与えることにより、画像管理の面で使用者の利便性を向上させられる。
【００１５】
また、本発明による携帯端末機の画像管理装置及び方法は、携帯端末機の保存画像にブログのような短いスクリプトを追加できるようにし、特定の場所（携帯端末機のストレージユニット又はアクセス可能なサイト（サーバ））の画像を、スクリプト中のハイパーリンクを設定したキーワードで関連付けることにより、当該一連の画像が相互有機的関係を有するようにしている。このような本発明の特徴は、使用者による、より創意的な応用を可能とし、さらには、携帯端末機をオンラインのブログページと連動させることができるという利点を有する。
【発明を実施するための最良の形態】
【００１６】
以下、本発明の好ましい実施形態について添付図面を参照して説明する。
【００１７】
本発明は、画像にショートスクリプトを追加できる装置及び方法を提案することにより、使用者がそれぞれの画像に別途の説明を加えて保存できる携帯端末機を実現するものである。また、本発明は、画像に追加されたショートスクリプトの特定単語又は文句（両方の意味を含んで「語句」を使用する）をキーワードにして、該当画像と携帯端末機の内部又は外部の画像とのリンクを設定することにより、使用者がそれぞれリンクされた画像を１つのシナリオコンテンツとして活用できるようにしている。
【００１８】
図１は、本発明の一実施形態による携帯端末機の画像管理装置の構造図である。
【００１９】
この画像管理装置は、内蔵されたカメラモジュール５０で撮影するか、又は外部から受信した画像を保存するストレージユニット４０と、使用者の選択によって画像にスクリプトの追加、編集、又は削除を行い、当該スクリプトの特定語句（文字、数字、記号等）に他の画像をリンクして１つのコンテンツを生成するコントロールユニット３０と、コントロールユニット３０により生成されたコンテンツを表示するディスプレイユニット６０と、を含む。
【００２０】
コントロールユニット３０は、使用者が選択した画像にスクリプトの追加、編集、又は削除を行うテキスト編集手段１０と、使用者の指示によって、そのスクリプトの特定文句に他の画像をリンクするリンク設定手段２０と、を含む。
【００２１】
図２は、携帯端末機内画像の画像管理方法の例を説明した概念図で、携帯端末機内に保存される画像を、該携帯端末機に保存されている他の画像にリンクさせて管理する方法を示す。また、図４は、その画像のスクリプトを作成し、表示する方法を例示したフローチャートである。以下、図２及び図４を参照して説明する。
【００２２】
使用者が所定の画像（図示の例ではＩｍａｇｅ＿０）にスクリプトを追加する場合、まず、コントロールユニット３０は、使用者の指示に従ってストレージユニット４０から該当画像（Ｉｍａｇｅ＿０）をロードし（Ｓ１０）、テキスト編集手段１０をアクティブにした後、使用者のテキスト入力を待つ。テキスト編集手段１０によるテキスト入力が可能になると、使用者はこれを使用して、図２に示すように所望の文章（例えば、『this is sample image for test』）のスクリプトを作成する（Ｓ２０）。
【００２３】
スクリプトの作成が完了すると使用者は、スクリプトのどの語句にハイパーリンクを設定するかカーソル等による選択を介し決定することができ、該当語句（例えば、「ｔｅｓｔ」）が一つのブロックに設定される（Ｓ３０）。その後、リンク設定機能（たとえば、メニューから）が選択される。
【００２４】
リンク設定機能が選択されると、コントロールユニット３０は、リンク設定手段２０をアクティブにし、アクティブとなったリンク設定手段２０は、使用者が画像を選択できるように、ストレージユニット４０に保存されている画像ファイルのリストをディスプレイユニット６０に表示する。使用者により、その表示画像のいずれか（図示の例でＩｍａｇｅ＿１）が選択されると（Ｓ４０）、リンク設定手段２０は、ブロック設定された語句（「ｔｅｓｔ」）をハイパーリンクのキーワードとして表示し（図示の例ではｔｅｓｔ→ｔｅｓｔ：下線表示）、選択画像（Ｉｍａｇｅ＿１）へのリンクを設定する（Ｓ５０）。スクリプト内の他のキーワード（図示の例では「ｓａｍｐｌｅ」）を他の画像（図示の例ではＩｍａｇｅ＿２）とリンクする方法も、上記過程Ｓ３０〜Ｓ５０の繰り返しにより実行される。
【００２５】
リンク元画像（Ｉｍａｇｅ＿０）にスクリプトが作成され、該スクリプトの所定語句にハイパーリンクが設定された後、スクリプト編集を行う場合は、そのハイパーリンクを修正又は解除することが可能とされる。設定後のハイパーリンクを修正又は解除する場合、使用者が文字入力カーソルを該当キーワード（図示の例では「ｓａｍｐｌｅ」や「ｔｅｓｔ」）に位置させると、リンク設定手段２０は、これを感知してリンク編集メニューリスト（追加、修正、解除など）を画面に表示する。そのリンク編集メニューリストから「修正」又は「解除」が選択されると、リンク設定手段２０は、当該選択メニュー（修正又は解除）に従って、該当キーワードに対する処理を実行する。たとえば、選択メニューが「解除」であった場合、リンク設定手段２０は、該当キーワードに設定されたリンクを解除するが、解除実行前に警告ポップアップを画面に表示して、使用者の失敗や不注意によるリンク解除が発生しないようにする。
【００２６】
また、リンク元画像（Ｉｍａｇｅ＿０）に作成（Ｓ２０）されたスクリプトの削除が指示された場合、使用者の指示に従って、リンク設定手段２０及びテキスト編集手段１０はそれぞれ、スクリプトに割り当てられたハイパーリンクを全て解除すると共に当該スクリプト（『this is sample image for test』）を削除する。
【００２７】
図３は、携帯端末機内外画像の画像管理方法の例を説明した概念図で、オンラインとしたブログページと連動する携帯端末機の画像管理方法を示す。また、図５は、その画像のスクリプトを作成し、表示する方法を例示したフローチャートである。以下、図３及び図５を参照して説明する。
【００２８】
使用者が特定画像（図示の例ではＩｍａｇｅ＿０）にスクリプトを追加する場合、上述の例同様、コントロールユニット３０は、使用者の指示に従ってストレージユニット４０から該当画像（Ｉｍａｇｅ＿０）をロードし（Ｓ１１０）、テキスト編集手段１０をアクティブにした後、使用者のテキスト入力を待つ。テキスト編集手段１０によるテキスト入力が可能になると、使用者はこれを使用して、図３に示すような語句を入力してスクリプトの作成する（Ｓ１２０）。そして、ハイパーリンクを設定する語句（図示の例では「ｔｅｓｔ」）がカーソル等により指定されると（Ｓ１３０）、コントロールユニット３０は、リンク設定手段２０をアクティブにする。
【００２９】
アクティブとなったリンク設定手段２０は、所定のブログサイト（設定済みのインターネットサイト又は当該携帯端末機のネットワークサーバなど）に接続し、使用者が画像を選択できるように、当該サイトにある（アクセス可能な）画像ファイルのリストをディスプレイユニット６０に表示する。使用者により、その表示画像のいずれか（図示の例でＩｍａｇｅ＿３）が選択されると（Ｓ１４０）、リンク設定手段２０は、前記指定語句（「ｔｅｓｔ」）をハイパーリンクのキーワードとして表示し（図示の例ではｔｅｓｔ→ｔｅｓｔ：下線表示）、選択画像（Ｉｍａｇｅ＿３）へのリンクを設定する（Ｓ１５０）。スクリプト内の他のキーワード（図示の例では「ｓａｍｐｌｅ」）を他の画像（図示の例ではＩｍａｇｅ＿４）とリンクする方法も、上記過程Ｓ１３０〜Ｓ１５０の繰り返しにより実行される。
【００３０】
リンク元画像（Ｉｍａｇｅ＿０）にスクリプトが作成され、スクリプトの所定語句にハイパーリンクが設定された後、上述の例と同様にしてスクリプト編集により、ハイパーリンクの修正又は解除を行うことができる。設定後のハイパーリンクを修正又は解除する場合、使用者が文字入力カーソルを該当キーワード（図示の例では「ｓａｍｐｌｅ」や「ｔｅｓｔ」）に位置させると、リンク設定手段２０は、これを感知してリンク編集メニューリスト（追加、修正、解除など）を画面に表示する。そのリンク編集メニューリストから「修正」又は「解除」が選択されると、リンク設定手段２０は、当該選択メニューに従って該当キーワードに対する処理を実行する。
【００３１】
また、リンク元画像（Ｉｍａｇｅ＿０）に作成（Ｓ１２０）されたスクリプトの削除が指示された場合、リンク設定手段２０及びテキスト編集手段１０はそれぞれ、上述の例同様に、スクリプトに割り当てられたハイパーリンクを全て解除すると共に当該スクリプト（『this is sample image for test』）を削除する。
【００３２】
以上の過程は、携帯端末機に保存する画像にスクリプトを作成してハイパーリンクを生成する方法を説明したものである。
【００３３】
これによりスクリプトを有する画像（スクリプト作成後のリンク元画像）が生成された後、当該リンク元画像（Ｉｍａｇｅ＿０）の表示が選択されると（Ｓ６０）、携帯端末機では、そのリンク元画像と共に該当スクリプト（『this is sample image for test』）の表示がディスプレイユニット６０にて実行される（Ｓ７０）。そして、その中のキーワード（「ｓａｍｐｌｅ」又は「ｔｅｓｔ」：リンク設定語句）が選択（クリックなど）されると（Ｓ８０）、そのリンク先画像（Ｉｍａｇｅ＿１〜Ｉｍａｇｅ＿４のいずれか）、すなわち、当該キーワードにリンクされた画像を表示する（Ｓ９０）。
【００３４】
本発明による画像管理装置及び方法は、前述した実施形態に限定されるものではなく、本発明の技術思想が許容する範囲内で多様に変形して実施できる。
【図面の簡単な説明】
【００３５】
【図１】本発明の携帯端末機における画像管理装置の構成例を示したブロック図。
【図２】本発明による画像管理方法の例を説明する概念図。
【図３】本発明による画像管理方法の例を説明する概念図。
【図４】図２に例示した画像管理方法のフローチャート。
【図５】図３に例示した画像管理方法のフローチャート。
【符号の説明】
【００３６】
１０  テキスト編集手段
２０  リンク設定手段
３０  コントロールユニット
４０  ストレージユニット
５０  カメラモジュール
６０  ディスプレイユニット
【図１】
0004806345.tif 000002
【図２】
0004806345.tif 000003
【図３】
0004806345.tif 000004
【図４】
0004806345.tif 000005
【図５】
0004806345.tif 000006